(57)【要約】【課題】引戸の吊り込み作業を簡便に行なうと共に、上レールから引戸が外れて倒れるのを確実に防止でき、吊り込み作業性の向上に加えて安全性も十分に確保すること。【解決手段】左右一対の操作部６ｃがスライド部材５の端面５ｄからそれぞれ突出した状態では上部ピボット２のピボット大径部２ａをロックプレート６のピボット挿通孔６ａを通してスライド部材５の大径部収納凹所５ｃに収納可能になると同時にピボット軸部２ｂがピボット挿通孔６ａに臨んで配置した状態となり、操作部６ｃの押込み状態ではスライド部材５に対するロックプレート６の変位によりロックプレート６のロック用溝６ｂと大径部収納凹所５ｃとが上下に連通することでピボット軸部２ｂがロック用溝６ｂ内に進入してピボット大径部２ａがピボット挿通孔６ａにて抜け止めされるロック部材４を備えている。【選択図】図１
2008106537.tif 000002
【特許請求の範囲】
【請求項１】
出入口を開閉する引戸の上部ピボットを上レールに抜け止め状態で吊り込むための引戸上部のロック構造であって、前記引戸の上部ピボットは、ピボット軸部の上端に鍔状のピボット大径部が突設されており、上レールには、前記上部ピボットを抜け止めするためのロック部材が装着され、前記ロック部材は、上レールに沿って引戸の開閉方向と平行な方向にスライド嵌合するスライド部材と、スライド部材に対して引戸の開閉方向と平行な方向に変位可能に支持されたロックプレートとを備え、前記スライド部材には、下方に開口して前記ピボット大径部が収納可能なピボット大径部が設けられ、前記ロックプレートには、上下に貫通して前記ピボット大径部が挿通可能なピボット挿通孔と、ピボット挿通孔の両側に連成されて前記ピボット大径部よりも細く且つピボット軸部が挿入可能な左右一対のロック用溝と、スライド部材の両端面から引戸の開閉方向に向かって進退自在に突出する左右一対の操作部とが設けられ、前記操作部は、スライド部材の端面から突出した状態ではピボット挿通孔と大径部収納凹所とが上下に連通することで前記ピボット大径部をピボット挿通孔を通してピボット大径部に収納可能になると同時にピボット軸部がピボット挿通孔に臨んで配置された状態となり、且つ操作部の押込み状態では前記ロック用溝と大径部収納凹所とが上下に連通することでピボット軸部がピボット挿通孔からロック用溝内に進入してピボット大径部がピボット挿通孔にて抜け止めされるように構成されていることを特徴とする引戸上部のロック構造。
【請求項２】
前記ロック部材は、ピボット軸部がピボット挿通孔からロック用溝内に進入してピボット大径部がピボット挿通孔により抜け止めされた状態で、ロックプレートをスライド部材に対して動かないように固定するための固定手段を備えていることを特徴とする請求項１記載の引戸上部のロック構造。 
【発明の詳細な説明】
【技術分野】
【０００１】
本発明は、出入口を開閉する引戸の上部ピボットを上レールに抜け止め状態で吊り込むための引戸上部のロック構造に関するものである。
【背景技術】
【０００２】
従来、引戸の上部を上レールに摺動自在に嵌合すると共に、引戸の下部を下レールに走行自在に支持するようにした連動引戸が開示されている（例えば、特許文献１参照）。
【０００３】
ところが上記特許文献１にみられる従来例では、引戸の上部を上レールの内部に摺動自在に挿入しているにすぎないため、例えば地震による震動や、人がもたれたりすることによる荷重などによって、上部ピボットが上レールから引き抜かれる方向に外力がかかった場合は、引戸の上部が上レールから外れる恐れがあり、このため引戸の倒れを確実に防止する必要があった。
【特許文献１】特開２００３−１３６６８号公報
【発明の開示】
【発明が解決しようとする課題】
【０００４】
本発明は上記の従来の問題点に鑑みて発明したものであって、引戸の吊り込み作業を簡便に行なうことができると共に、上レールから引戸が外れて倒れるのを確実に防止でき、吊り込み作業性の向上に加えて安全性も十分に確保することができる引戸上部のロック構造を提供することを課題とするものである。
【課題を解決するための手段】
【０００５】
前記課題を解決するために本発明は、出入口を開閉する引戸１の上部ピボット２を上レール３に抜け止め状態で吊り込むための引戸上部のロック構造であって、前記引戸１の上部ピボット２は、ピボット軸部２ｂの上端に鍔状のピボット大径部２ａが突設されており、上レール３には、前記上部ピボット２を抜け止めするためのロック部材４が装着され、前記ロック部材４は、上レール３に沿って引戸１の開閉方向Ａと平行な方向にスライド嵌合するスライド部材５と、スライド部材５に対して引戸１の開閉方向Ａと平行な方向に変位可能に支持されたロックプレート６とを備え、前記スライド部材５には、下方に開口して前記ピボット大径部２ａが収納可能な大径部収納凹所５ｃが設けられ、前記ロックプレート６には、上下に貫通して前記ピボット大径部２ａが挿通可能なピボット挿通孔６ａと、ピボット挿通孔６ａの両側に連成されて前記ピボット大径部２ａよりも細く且つピボット軸部２ｂが挿入可能な左右一対のロック用溝６ｂと、スライド部材５の両端面５ｄから引戸１の開閉方向Ａに向かって進退自在に突出する左右一対の操作部６ｃとが設けられ、前記操作部６ｃは、スライド部材５の端面５ｄから突出した状態ではピボット挿通孔６ａと大径部収納凹所５ｃとが上下に連通することで前記ピボット大径部２ａをピボット挿通孔６ａを通して大径部収納凹所５ｃに収納可能になると同時にピボット軸部２ｂがピボット挿通孔６ａに臨んで配置された状態となり、且つ操作部６ｃの押込み状態では前記ロック用溝６ｂと大径部収納凹所５ｃとが上下に連通することでピボット軸部２ｂがピボット挿通孔６ａからロック用溝６ｂ内に進入してピボット大径部２ａがピボット挿通孔６ａにて抜け止めされるように構成されていることを特徴としている。
【０００６】
このような構成とすることで、左右一対の操作部６ｃのいずれか一方を押込み状態にするだけで、ロック部材４が機能して、引戸の上部ピボット２がロック部材４に対して自動的に抜け止め状態となり、地震による震動或いは人がもたれることによる荷重などによって引戸１が上レール３３から外れて倒れるのを確実に防止できる。
【０００７】
また、前記ロック部材４は、ピボット軸部２ｂがピボット挿通孔６ａからロック用溝６ｂ内に進入してピボット大径部２ａがピボット挿通孔６ａにより抜け止めされた状態で、ロックプレート６をスライド部材５に対して動かないように固定するための固定手段を備えているのが好ましく、この場合、固定手段によってスライド部材５に対するロックプレート６の変位を確実に阻止できるので、長期に亘ってロック機能の高信頼性を確保できるようになる。
【発明の効果】
【０００８】
本発明は、左右一対の操作部のいずれか一方を押込み状態にするだけで、ロック部材が機能して、引戸の吊り込み作業を簡便に行なうことができる。しかも、地震による震動や、人がもたれたりすることによる荷重などによって、上部ピボットが上レールから引き抜かれる方向に外力がかかった場合であっても、上部ピボットはロック部材を介して上レールから抜け止めされているため、上レールから引戸が外れて倒れることを防止でき、結果、吊り込み作業性の向上に加えて安全性も十分に確保できるものである。
【発明を実施するための最良の形態】
【０００９】
以下、本発明を添付図面に示す実施形態に基いて説明する。
【００１０】
図１及び図２は、本発明のロック部材４の説明図であり、図３はロックプレート６の説明図であり、図４はロック部材４と連動手段１０のワイヤ１３との連結状態の説明図であり、図５は引戸１の上部ピボット２をロック部材４に抜け止めした状態の説明図である。
【００１１】
出入口には、図７に示すように、３連引戸が引き違い状に配置されている。３連引戸は、上レール３に装着されたロック部材４にてロックされる上部ピボット２を備えた第１引戸１Ａと、第１引戸１Ａの後側に配置された第２引戸１Ｂと、さらに後側に配置された第３引戸１Ｃとからなる。
【００１２】
第１引戸１の上端部には上部ピボット２が取り付けられる。上部ピボット２は例えば図６に示すようなバネ付ピボットからなり、引戸１の内部に埋設される上方に開口した鍔付き筒状部２ｃの内部にコイルバネ２ｄが収納され、筒状部２ｃの上部開口からピボット軸部２ｂの下部が上下移動自在に挿入されている。ピボット軸部２ｂの上端にはピボット軸部２ｂよりも太い鍔状のピボット大径部２ａが設けられている。後述のように上部ピボット２を上レール３側に挿入した状態で引戸１を持ち上げてその下ランナー７を下レール８に嵌め込む際に、コイルバネ２ｄの収縮（図６（ｃ）の状態）によって上部ピボット２の突出寸法が短くなることにより、下レール８への下ランナー７の嵌め込み作業がスムーズに行なえるようにしてある。なお、第２引戸１Ｂ及び第３引戸１Ｃの上端部にも同様な構成の上部ピボット２Ａ，２Ｂが取り付けられる。
【００１３】
一方、上レール３には、図７に示すように、第１引戸１Ａの上部をガイドする第１上レール溝３ａと、第２引戸１Ｂの上部をガイドする第２上レール溝３ｂと、第３引戸１Ｃの上部をガイドする第３上レール溝３ｃとが設けられている。
【００１４】
第１上レール溝３ａにはロック部材４が装着されている。ロック部材４は、第１引戸１Ａの上部ピボット２をガイドするピボットガイドとしての機能と、上部ピボット２を抜け止めするロック機能とを併せ持っている。
【００１５】
ロック部材４は、図１に示すように、上レール３に沿って引戸１の開閉方向Ａと平行な方向にスライド嵌合するスライド部材５と、スライド部材５に対して引戸１の開閉方向Ａと平行な方向に変位可能に支持されたロックプレート６とからなる。
【００１６】
スライド部材５には、図２に示すように、第１上レール溝３ａにスライド嵌合する嵌合溝５ｅがそれぞれ形成されている。またスライド部材５の中央側には、下方に開口し且つピボット大径部２ａが収納可能な大きさを有する大径部収納凹所５ｃが設けられている。本例では、スライド部材５が上側部材５ａと下側部材５ｂとに上下２分割されていてその間にロックプレート６が挟み込まれている。図１０は上側部材５ａを示しており、この上側部材５ａに大径部収納凹所５ｃが形成されている。下側部材５ｂには図２に示すように、下方に喇叭状に開口した大きい開口孔５ｆが形成されており、ピボット大径部２ａを開口孔５ｆから後述するロックプレート６のピボット挿通孔６ａを通して大径部収納凹所５ｃにスムーズに挿入できるようにしてある。また上側部材５ａにおける大径部収納凹所５ｃの両側には一対のネジ孔５ｇが設けられ、下側部材５ｂには該ネジ孔５ｇと対向する一対のネジ挿入孔５ｈが形成されており、固定ネジ１６をネジ挿入孔５ｈから後述するロックプレート６のロック用溝６ｂ（又はネジ挿入孔６ｄ）を通して、上側部材５ａのネジ孔５ｇにネジ込むことで、上側部材５ａとロックプレート６と下側部材５ｂとが一体に組み立てられる。
【００１７】
ロックプレート６の中央には、図３に示すように、上下に貫通して前記ピボット大径部２ａが挿通可能な丸穴状のピボット挿通孔６ａが開口しており、このピボット挿通孔６ａの両側には、ピボット挿通孔６ａに連なり且つ引戸１の開閉方向Ａと平行な方向に沿って一対のロック用溝６ｂが形成されている。一対のロック用溝６ｂは、それぞれ、ピボット大径部２ａよりも細く且つピボット軸部２ｂが挿入可能なスリット形状をしており、スライド部材５に対するロックプレート６の左右いずれかの変位により、ピボット軸部２ｂがピボット挿通孔６ａからいずれか一方のロック用溝６ｂに進入可能となっている。
【００１８】
ここでは、スライド部材５の下面両側には、前記一対のロック用溝６ｂと対向する位置に一対のネジ孔５ｇが設けられている。
【００１９】
さらに、ロックプレート６の両端側（ロック用溝６ｂの延長側）には、一定厚みを有する一対の操作部６ｃが設けられている。各操作部６ｃは、スライド部材５の両端面５ｄから引戸１の開閉方向Ａに向かって進退自在に突出可能となっている。一対の操作部６ｃがスライド部材５の両端面５ｄからそれぞれ突出した状態（図１の状態）では、ピボット挿通孔６ａと大径部収納凹所５ｃとが上下に連通した状態となり、また、一方の操作部６ｃがスライド部材５の端面５ｄに当たるまで押し込まれた状態（図４、図５の状態）では一方のロック用溝６ｂと大径部収納凹所５ｃとが上下に連通するようになっている。また図４、図５に示す例では、一対の操作部６ｃの突出状態では、スライド部材５の端面５ｄが第１引戸１Ａの側端面１ａと面一状となり、第１引戸１Ａの側端面１ａから一方の操作部６ｃが突出した状態となり、これにより、第１引戸１Ａの側端面１ａが戸当たり９に当たったときに一方の操作部６ｃが該戸当たり９の上面部分に当たって押し込まれるようにしてある。
【００２０】
次に、連動手段１０を説明する。上レール３の第２上レール溝３ｂには第２引戸１Ｂの上部ピボット２Ａをガイドする一対のピボットガイド１２が設けられている。各ピボットガイド１２には、それぞれ、図９に示すように、第２上レール溝３ｂにスライド嵌合する嵌合溝１２ａが形成されていると共に、第２引戸１Ｂの上部ピボット２Ａ（図１５）が挿入されるピボット挿入孔１２ｂと、ワイヤ取付プレート１１にネジ止めされるボス５０とが設けられている。
【００２１】
前記ピボットガイド１２にネジ止めされるワイヤ取付プレート１１は、図８に示すように、第２引戸２Ａの戸先側から戸尻側に至る長尺状に形成されており、その長手方向の両端側に設けた一対のプーリー１４，１４には無端状のワイヤ１３が巻き掛けられており、このワイヤ１３の一部が前記ロック部材４に設けたワイヤ連結部１５に連結されている。本例では、ワイヤ連結部１５は、図２に示すように、ロック部材４を構成するスライド部材５から前方に突出しており、ワイヤ連結部１５の先端に設けた凹所１５ａにワイヤ１３の一部が固着されている。ここで、ワイヤ１３の一部と凹所１５ａとを固着する方法として、例えば樹脂によって固めたり、或いはカシメ、ビス止め等の手段を採用できる。
【００２２】
また、第３上レール溝３ｃにスライド嵌合されるピボットガイド１７は、第３引戸１Ｃの一対の上部ピボット２Ｂ（図１５）のうちのいずれか一方が挿入されるピボット挿入孔１７ａを備えていると共に、前記ワイヤ取付プレート１１のワイヤ１３の後側部分１３ｂの一部に固着されるワイヤ連結部（図示せず）を備えている。このワイヤ連結部とワイヤ１３との固着は上記ロック部材４のワイヤ連結部１５とワイヤ１３との固着と同じ方法で行なわれる。
【００２３】
次に、引戸１の施工手順の一例を図１１〜図１６を参照して説明する。
【００２４】
予め、図１１に示すように、上レール３の手前側の第１上レール溝３ａにロック部材４をスライド嵌合させ、第２上レール溝３ｂにワイヤ取付プレート１１をスライド嵌合させ、第３上レール溝３ｃにピボットガイド１７をスライド嵌合させる。なおワイヤ取付プレート１１に対するピボットガイド１２、プーリー１４及びワイヤ１３の組み付けは工場出荷段階で予め行なわれる。また図１１の配置例に代えて図１２のように、上レール３の奥側の第３上レール溝３ｃにロック部材４をスライド嵌合させる配置も可能である。以下、手前側の第１上レール溝３ａにロック部材４を配置する場合を説明する。
【００２５】
最初に、図１３（ａ）のイ方向に第３引戸１Ｃを持ち上げて、第３引戸１Ｃの戸先側の上部ピボット２Ｂを奥側のピボットガイド１７のピボット挿入孔１７ａに挿入し、戸尻側の上部ピボット２Ｂを第３上レール溝３ｃに直接差し込んだ状態で、図１３（ａ）のロ方向に第３引戸１Ｃを下ろして下ランナー７を下レール８の第３下レール８溝に嵌め込む（図１３（ｂ）の状態）。
【００２６】
次いで、第２引戸１Ｂの一対の上部ピボット２Ａ，２Ａを、中央側のワイヤ取付プレート１１の一対のピボットガイド１２にそれぞれ挿入した状態で、第３引戸１Ｃの場合と同じ要領で、第２引戸１Ｂを建て込む。
【００２７】
その後、第１引戸１Ａの戸尻側の上部ピボット２を、手前側の第１上レール溝３ａに直接差し込むと共に、戸先側の上部ピボット２をロック部材４のロックプレート６に設けたピボット挿通孔６ａに挿入する。
【００２８】
このとき、ロック部材４の固定手段である固定ネジ１６を仮締め状態としておき且つロックプレート６の一対の操作部６ｃをスライド部材５の両端面５ｄからそれぞれ突出させた状態（図１の状態）にしておくことにより、ピボット大径部２ａを、図１１（或いは図１２）の矢印方向から、ロックプレート６のピボット挿通孔６ａを通して大径部収納凹所５ｃに収納できると共に、ピボット軸部２ｂがピボット挿通孔６ａに臨んで配置できるようになる。この状態で、上記第３引戸１Ｃの場合と同じ要領で第１引戸１Ａを建て込む（図１５の状態）。
【００２９】
その後、図１６（ａ）の矢印Ｄで示す方向に第１引戸１Ａを移動させて第１引戸１Ａの戸先側の側端面１ａを戸当たり９に当てることにより、第１引戸１Ａと追随して移動するロック部材４のスライド部材５から突出している戸先側の操作部６ｃが、上レール３の端部、ここでは戸当たり９の上面部分に当たってスライド部材５に対するロックプレート６の変位によって押込み状態（図４、図５の状態）となる。このときピボット軸部２ｂがロックプレート６のピボット挿通孔６ａからロック用溝６ｂ内に進入することでピボット大径部２ａがピボット挿通孔６ａにて抜け止めされた状態となり、上部ピボット２をロック部材４に対して自動的にロックできるようになる。
【００３０】
最後に、上部ピボット２がロック部材４にてロックされた状態で、ロック部材４の下方から固定ネジ１６を本締めすることで、ロックプレート６をスライド部材５に対して動かないように固定でき、スライド部材５に対するロック部材４の変位を阻止できる。
【００３１】
そして、このように建て込まれた３連引戸は、図１６（ａ）の全閉状態から第１引戸１Ａを手で開く方向に動かすと、第２引戸１Ｂは上レール３に対して固定されていないため、第１引戸１Ａに追随して第２引戸１Ｂが開かれる。このとき、第１引戸１Ａに追随してワイヤ１３が移行し、ワイヤ１３を巻き掛けている左右のプーリー１４も移行する。このとき第１引戸１Ａと第２引戸１Ｂ間の移行距離の差は、ワイヤ１３とこれを懸架するプーリー１４との関係から、第１引戸１Ａの閉塞位置から開放位置までの移行距離に対して第２引戸１Ｂの移行距離が１／２となり、これによって、図１６（ｂ）〜（ｅ）のように、第１引戸１Ａの開閉に追随して第２引戸１Ｂの開閉を確実に行なうことができる。またこのとき、ワイヤ１３及びプーリー１４の移行によって第３引戸１Ｃのピボットガイド１７も移行するが第２引戸１Ｂも同じ距離だけ移行するため、第３引戸１Ｃに対するピボットガイド１７の相対位置は変化せず、従って第３引戸１Ｃは動くことはないため、全開状態にできる。また、第１引戸１Ａを全開状態から閉じる際にも上記と逆の動作で、全閉状態にすることができる。
【００３２】
しかして、上下のレール３，８の端部に引戸１を移動させて引戸１の側端面１ａを戸当たり９に当てるだけで、ロック部材４が機能して、引戸１の上部ピボット２がロック部材４に対して自動的に抜け止め状態（図４、図５の状態）となり、吊り込み作業を簡便に行なうことができる。しかも高所にある操作部６ｃを指で押し込み操作する必要もなくなり、作業性がより向上する。そのうえロック後に固定ネジ１６によってスライド部材５に対するロックプレート６の変位を確実に阻止できるので、長期に亘ってロック機能の高信頼性を確保できる。しかも、地震による震動や、人がもたれたりすることによる荷重などによって、上部ピボット２が上レール３から引き抜かれる方向に外力がかかった場合であっても、上部ピボット２はロック部材４を介して上レールから抜け止めされているため、上レールから引戸１が外れて倒れる可能性がなくなり、安全性が確保されるものである。
【００３３】
また、操作部６ｃは左右にそれぞれ突出しているので、引戸１を閉じる側或いは開く側のどちらに移動させても、突出状態にある操作部６ｃのいずれか一方を必ず押込み状態にでき、ロック部材４が確実に機能するようになり、より確実にロック状態を機能させることができる。
【００３４】
また、第１引戸１Ａを移動させて戸当たり９に当てることにより、引戸１（１Ａ〜１Ｃ）が連動して開閉できるかどうかの引戸１の動作確認と、第１引戸１Ａの上部ピボット２のロック作業とが同時に行なわれるので、ロック作業を別途行なう必要がなく、吊り込み作業が一層はかどる。しかも最も手前側に位置する第１引戸１Ａの上部ピボット２のみをロック部材４に抜け止めすることで、第１引戸１Ａが手前に倒れる恐れがなく、そのうえ、万一、第２引戸１Ｂ或いは第３引戸１Ｃの上部ピボット２Ａ又は２Ｂが上レール３から外れた場合でも、手前に位置する第１引戸１Ａが壁となって第２引戸１Ｂ或いは第３引戸１Ｃの倒れを防止するようになり、この結果、すべての引戸１Ａ〜１Ｃの倒れ防止が効率的となる。
【００３５】
なお、操作部６ｃは指で押し込み操作されてもよいものであり、この場合、ロック部材４の機能が働いていることの確認がしやすくなる。
【００３６】
さらに、上レール３にスライド嵌合したピボットガイド１２に対して、ワイヤ取付プレート１１と一対のプーリー１４とワイヤ１３とを一体に設けることができるので、ワイヤ１３を連動要素にした連動手段１０を上レール３へ組み込むことが簡単になり、部品数を削減して組み込みに要する手間を省ける利点もある。
【００３７】
また本例では、上レール３の第１上レール溝３ａの戸当たり９側の端部に、図１７に示すように、第１引戸１Ａを閉じた際の跳ね返りを防止するためのキャッチ部材１８が設置される。キャッチ部材１８は、上レール３の天面側に固定される軸部受け１８ａと、軸部受け１８ａに縦軸１８ｋ回りに枢支される軸部押さえ１８ｂと、軸部押さえ１８ｂをピボット軸部２ｂを押さえる方向にバネ付勢する捻りバネ１８ｃとからなる。軸部受け１８ａの戸当たり９側とは反対側の端部１８ｇにはピボット軸部挿入穴１８ｄが開口しており、ピボット軸部挿入穴１８ｄを覆うように配置された軸部押さえ１８ｂの先端部分にはピボット軸部２ｂを誘導する山形状のテーパ面１８ｅ，１８ｆが形成され、第１引戸１Ａが全閉位置に移動したときに、ピボット軸部２ｂが前側テーパ面１８ｅに当たって軸部押さえ１８ｂを押し開いてピボット軸部挿入穴１８ｄの奥に入り込むと共に軸部押さえ１８ｂのバネ復帰によってピボット軸部２ｂが奥側テーパ面１８ｆにて押さえられることで第１引戸１Ａの跳ね返りを防止できるようになっている。また第１引戸１Ａを開いたときはピボット軸部２ｂは軸部押さえ１８ｂを押し開いてピボット軸部挿入穴１８ｄの外部に抜け出るので開動作もスムーズに行なうことができる。なお、キャッチ部材１８は第３引戸１Ｃの戸尻側のピボット軸部２ｂを保持する位置にも設置されていて第３引戸１Ｃを全開位置で保持している。
【００３８】
図１８はキャッチ部材１８の他例であり、図１７と異なる点は、軸部押さえ１８ｂの先端部分が軸部受け１８ａの戸当たり９側と反対側の端部１８ｇよりも外部に突出して配置され、軸部受け１８ａに設けた半円穴１８ｉと軸部押さえ１８ｂに設けた半円穴１８ｊとの間でピボット軸部２ｂを挟み込む構造となっている。
【００３９】
また、前記実施形態では、戸当たり９の上面部分に突出状態の操作部６ｃを当てる場合を説明したが、もちろんこれに限らず、上レール３の端部に当接部分を別途設け、第１引戸１Ａの側端面１ａが戸当たり９に当たったときに操作部６ｃが当接部分に当たって押込み状態となるようにすることも可能である。
【図面の簡単な説明】
【００４０】
【図１】本発明の一実施形態に用いるロック部材の断面図である。
【図２】（ａ）〜（ｄ）は同上のロック部材の平面図、正面図、側面図、ロックプレートが変位した状態の平面図である。
【図３】（ａ）〜（ｄ）は同上のロックプレートの平面図、正面図、側面図、底面図である。
【図４】同上のロック部材と連動手段のワイヤとの連結状態を説明する平面図である。
【図５】同上の引戸の上部ピボットをロック部材に抜け止めした状態を示す正面断面図である。
【図６】（ａ）は同上の上部ピボットの側面図、（ｂ）（ｃ）は上部ピボットの突出高さがバネによって変化する場合の説明図である。
【図７】同上の３連引戸の上部を上レールに吊り込んだ状態の側面図である。
【図８】（ａ）〜（ｃ）は同上の連動手段を構成するワイヤ取付プレートの正面図、底面図、側面図である。
【図９】（ａ）〜（ｄ）は同上のピボットガイドの正面図、平面図、側面図、正面断面図である。
【図１０】（ａ）〜（ｆ）は同上のスライド部材を構成する上側部材の正面断面図、平面断面図、側面断面図、平面図、正面図、底面図である。
【図１１】同上の上レールの手前側から第１引戸用のロック部材、第２引戸用のワイヤ取付プレート付きピボットガイド、第３引戸用のピボットガイドを取り付けた状態を説明する斜視図である。
【図１２】同上の上レールの奥側から第１引戸用のロック部材、第２引戸用のワイヤ取付プレート付きピボットガイド、第３引戸用のピボットガイドを取り付けた状態を説明する斜視図である。
【図１３】（ａ）（ｂ）は同上の引戸の建て込み動作の説明図である。
【図１４】同上の３連引戸の建て込み状態の斜視図である。
【図１５】同上の３連引戸の建て込み状態の側面図である。
【図１６】（ａ）〜（ｅ）は同上の３連引戸の開き動作の説明図である。
【図１７】（ａ）（ｂ）は同上のキャッチ部材を説明する平面図、正面図である。
【図１８】（ａ）〜（ｃ）は同上のキャッチ部材の変形例を説明する平面図、正面図、底面図である。
【符号の説明】
【００４１】
１  引戸
２  上部ピボット
２ａ  ピボット大径部
２ｂ  ピボット軸部
３  上レール
４  ロック部材
５  スライド部材
５ｃ  大径部収納凹所
５ｄ  スライド部材の端面
６  ロックプレート
６ａ  ピボット挿通孔
６ｂ  ロック用溝
６ｃ  操作部
Ａ  開閉方向 
【図１】
2008106537.tif 000003
【図２】
2008106537.tif 000004
【図３】
2008106537.tif 000005
【図４】
2008106537.tif 000006
【図５】
2008106537.tif 000007
【図６】
2008106537.tif 000008
【図７】
2008106537.tif 000009
【図８】
2008106537.tif 000010
【図９】
2008106537.tif 000011
【図１０】
2008106537.tif 000012
【図１１】
2008106537.tif 000013
【図１２】
2008106537.tif 000014
【図１３】
2008106537.tif 000015
【図１４】
2008106537.tif 000016
【図１５】
2008106537.tif 000017
【図１６】
2008106537.tif 000018
【図１７】
2008106537.tif 000019
【図１８】
2008106537.tif 000020